(57)【特許請求の範囲】
【請求項１】
複数の横孔３４が長手方向に配設された係合部材１２と、
前記係合部材の長手方向の何れかの位置で結合可能な収容部材１４とから構成され、
前記収容部材１４は、前記横孔３４の両側面に配置され前記横孔配列の長手方向の一方向にのみラチェット作用を有する一対の脚部材を備えた雄ラッチ部材３８と、前記雄ラッチ部材に前記雄ラッチ部材３８の一部が露出するように外側から装着結合され、前記露出した雄ラッチ部材の一部を押圧することにより脚部材のラチェット係合を解除する雌ソケット部材３６とから構成されたことを特徴とするファスナ。
【請求項２】
前記雌ソケット部材は、下面に前記トラックを収容するためのチャンネルを有し、このチャンネルは対向側面に前記雄ラッチ部材の脚部材の一部が突出可能な貫通したスロットを有したことを特徴とする請求項１に記載のファスナ。
【請求項３】
前記雌ソケット部材は、側部にスロットを有しており、雄ラッチ部材の脚部材の一部が突出可能であることを特徴とする請求項１または２に記載のファスナ。
【請求項４】
前記雄ラッチ部材は、ベース部材とそれから延びる２本の脚部材から成り、
前記脚部材の先端に形成された頭部は、前記チャンネルに形成されたスロットを通って前記トラックに形成された横孔と係合することを特徴とする請求項１〜３の何れか１に記載のファスナ。
【請求項５】
前記雄ラッチ部材は、雌ソケット部材と結合された際に、雌ソケット部材のスロット部から可撓性を有する脚部材の本体部分が膨出し、
前記本体部分を押圧することにより、頭部と横孔との係合を解除することを特徴とする請求項１〜４の何れか１に記載のファスナ。
【発明の詳細な説明】
【０００１】
【産業上の利用分野】
本発明は、一般にファスナ、特に細長い係合部材ないしトラックと、対応する収容部材ないしハウジングとからなる調節可能なファスナ、詳述するとハウジングは、該トラックの長さに対してほゞ垂直の方向で該トラックの長さにほゞ沿ってどこかへ容易に結合可能であり、該トラックの長さに沿って少なくとも第１方向において調節可能であり、該第１方向とは反対の第２方向への運動ないし調節を与えるように使用者によって操作可能なファスナに関する。
【０００２】
【従来の技術】
２つの物品を結合するファスナは、１つの物品へ固定される或る型式のトラック部材と、該トラック部材との係合のために他の物品へ固定される或る型式の収容部材とを備えている。しかしながら、該ファスナは、代表的に、収容部材がトラック部材の自由端へ通されることを必要とし、これは、或る用途では困難又は不可能であり得る。
【０００３】
トラックの自由端へ収容部材を通さねばならないことを防止するため、面ファスナのような一緒に押圧されるときに付着し高分子材料を利用するファスナが開発された。この型式のファスナは、代表的に所望の長さの２つの噛合うストリップを有し、残りのストリップの長さに沿ってどこかでの１つのストリップの結合を可能にする。
【０００４】
【発明が解決しようとする課題】
しかしながら、或る用途では、面ファスナは、非常に良好には作用しない。これは、該ファスナがほこり又は砂にさらされる衣服、靴又は類似の品目に使用される際に特に適中する。ほこり又は砂は、面ファスナの繊維に詰まり、これにより、面ファスナの有効さを低減し、恐らく使用中の機能不良を生じさせる。
【０００５】
従って、所定の長さを有する係合部材と、係合部材の自由端へ収容部材を通す必要なしに係合部材の長さに沿ってどこかで結合する収容部材とを備え、少なくとも第１方向への容易な調節を可能にし反対の第２方向において調節を与えるように使用者によって操作可能であるファスナを提供することは望ましい。
【０００６】
【課題を解決するための手段】
雌ソケット部材と、それに着脱可能な雄部材とからなる収容部材及び該収容部材と着脱可能な係合部材を設け、収容部材と係合部材とを解放可能にラチェット係合の態様で係合させる事によりこの課題を解決した。
【０００７】
本発明は、所定の長さを有する係合部材と、該係合部材へ結合する収容部材とからなるファスナを提供する。該収容部材は、係合部材の長さに沿って実質的にどこかで係合部材に係合可能であって、係合部材の長さに沿って少なくとも第１方向において移動可能である。
【０００８】
該収容部材は、好ましくは係合部材の長さに対してほゞ垂直の方向で係合部材へ結合される。更に、該収容部材は、係合部材の長さに沿う該第１方向とは反対の第２方向における収容部材の運動を可能にするように使用者による作動のための解放機構を備えてもよい。
【０００９】
【実施例】
本発明のファスナ（図１，２）の全体を符号１０で示す。ファスナ１０は、実質的に、係合部材１２と、係合部材１２の長さに沿って係合部材のどこかと結合する収容部材１４とからなる。
【００１０】
ファスナ１０は、好ましくはプラスチック製で、解放可能に調節できる２つの物品を一体に結合するか、又は同一の物品の２つの部分を結合するのに使用される。例えば図１では、ファスナ１０は、バンド１８を有するサンダル１６に使用し、バンド１８の長さを調節する。
【００１１】
バンド１８は、第１と、第２の端部２０，２２を有し、第１端部２０はサンダル１６の基部２４の一側部に結合される。第２端部２２は基部２４の反対側の側部に結合されるバックル２６に挿通されて、下記で説明するように収容部材１４に結合される。
【００１２】
簡単に言えば、操作の際、使用者は、端部２０と基部２４上のバックル２６との間のバンド１８の下へ足（図示せず）を挿入する。バンド１８を足の甲に対してきちんと合うように引張り、収容部材１４を有する第２端部２２をバンド１８上に逆に折曲げる。次に、収容部材１４を係合部材１２の長さに沿うどこかで係合部材１２（図１）に対して下方に挿入する。
【００１３】
係合部材１２への収容部材１４の適正な着座の際、収容部材１４は、部材１２上のその位置を維持する。バンド１８を引締めるため、収容部材１４は、図１で矢印Ａの左に単に移動し、このとき、収容部材１４は係合部材１２の他の部分に係合し、該位置に固定されたままとなり、バンド１８は足の甲を上からピッタリと抑える。
【００１４】
バンド１８を緩めるには、収容部材１４を、図１で矢印Ｂの右へ移動するように使用者が操作する。代りに、収容部材１４を、ラッチ部材を収容部材１４から解放するように使用者が操作してもよく、ラッチ部材は、バンド１８の第２端部２２へ結合される。ファスナ１０の構造の詳細は、次に示す。
【００１５】
図２に示すように、係合部材１２は、好ましくは使用者の足に合致するように僅かに弧状に湾曲して所定の長さを有し、かなり可撓性で、ベースないしフランジ２８と、直立するトラック３０とを備えている。フランジ２８は、好ましくは線３２に沿って厚さを薄くしてあり、線３２は、フランジ２８の周辺のまわりに延び、フランジ２８が線３２に沿ってバンド１８に縫い付けできる様にしてある。
【００１６】
トラック３０は、フランジ２８から立ち、長手方向に間隔を保って貫通する複数の横孔３４を有する。横孔は、好ましくは、下記で説明するように収容部材１４との係合のために矩形である。横孔３４の数や形状は、該孔がここに記載するように作用する限り変更してもよい。
【００１７】
収容部材１４は、雌ソケット部材３６と、部材３６に挿入する雄ラッチ部材３８とを備えている。雌ソケット部材３６は、第１開口端部４０と、反対側の第２閉鎖端部４２と、くびれた中間部４４と、上下の面４６，４８と、対向側部５０，５２とを有するほゞ鼓形に形成されている。
【００１８】
係合部材１２のトラック３０を収容するため、雌ソケット部材３６は、下面４８に、チャンネル５４を有し、チャンネル５４はその上面５６と、対向側面５８，６０とによって限定され、その長さに沿い形成されて開口する長手方向の逆Ｕ形の溝になっている。雄ラッチ部材３８の部分がトラック３０に係合できる様にするため、側面５８，６０には貫通したスロット６２，６４が有る。
【００１９】
雄ラッチ部材３８（図２）を雌ソケット部材３６へ結合するため、雌ソケット部材３６の下面４８は、チャンネル５４の側面５８，６０に最も近く設置される２つの孔６６，６８を有し、チャンネル５４の上面５６は、同様な孔７０を有している。これ等の孔６６，６８，７０は、下記で説明する様に、雄ラッチ部材３８の係合ラッチ８４，８６，８８（図７）を収容する。
【００２０】
係合部材１２上で収容部材１４が矢印Ｂの方向に動けるようにするために使用者が雄ラッチ部材３８に接近できる様に雌ソケット部材３６の側部５０，５２は、中間部４４に沿ってスロット７２，７４を有している。
【００２１】
図２，６，７に示す様に、雄ラッチ部材３８は、ほゞ矩形のベース部材７６と、トラック３０の送りのためにベース部材７６を貫通するチャンネル７６ａ（図６）とを備えている。ベース部材７６をバンド１８（図１）の第２端部２２へ結合するため、ベース部材７６は、厚さを薄くしてその上面に形成した矩形の溝７８（図３）を備えている。溝７８は、ベース部材７６をバンド１８へ縫い付けできる様にしてある。
【００２２】
図６，７に示す様に、雄ラッチ部材３８を雌ソケット部材３６へ結合させ、チャンネル５４内の係合部材１２のトラック３０に係合させるため、ベース部材７６は、それから延びる２本の脚部材８０，８２を有している。雄ラッチ部材３８を雌ソケット部材３６内に維持するのを扶助するため、ベース部材７６は、雌ソケット部材３６の孔６６，６８，７０内に着座する３つの係合ラッチ８４，８６，８８をも有している。
【００２３】
脚部材８０，８２（図７）の各々は、ステム部９０と、本体部９２と、首部９４と、頭部９６とを有し、相互にほゞ対称をなしている。脚部材８０，８２の本体部９２，９２は雌ソケット部材３６（図２）のスロット７２，７４を夫々貫通して延び、下記で説明するように、使用者は収容部材１４を係合部材１２上で移動させるために該本体部９０，９２（図５）に接近できる。
【００２４】
本体部９２，９２（図７）は、中空であって、外壁９８と、上部カバー部１００（図６）とを有している。更に、各脚部材８０，８２（図７）の首部９４及び頭部９６は、ファスナ１０の解放のために上部カバー１００の下に内方に撓み得るように上部カバー１００より下に設置される。
【００２５】
図４，５に示すように、脚部材８０，８２の頭部９６は、トラック３０の横孔３４に係合するようにチャンネル５４の側面５８，６０のスロット６２，６４を通って延びる。可撓性脚部材８０，８２は、スロット６２，６４内に設置されると、図４で矢印Ａの左方向へ係合部材１２のトラック３０に沿ってラチェット作用の態様で収容部材１４を移動させる事ができるようにする。しかしながら、脚部材８２，８０は、矢印Ｂの右方向への収容部材１４の移動を阻止する。
【００２６】
図５に示すように、矢印Ｂの右方向へ収容部材１４を移動するため、各脚部材８０，８２の本体部９２を、矢印Ｃの方向へ内方に押圧する。然し、そうすれば、首部９４の形状により、首部９４は、チャンネル５４の側面５８，６０に係合して、矢印Ｄによって示す反対方向へ移動するように脚部材８０，８２の頭部９６を強制する。
【００２７】
これにより、矢印Ｂ（図５）の方向の右へのトラック３０に沿う収容部材１４の動きを可能にするように横孔３４から脚８０，８２の頭部９６，９６を解放する。本体部９２の解放の際、脚８０，８２部材の頭部９６，９６は、異なる横孔３４に係合するように急速にはね返る。
【００２８】
収容部材１４を係合部材１２のトラック３０に最初に係合するため、収容部材１４を、トラック３０の任意の部分の上に設置する。トラック３０の長さに対してほゞ垂直のトラック３０への収容部材１４の下方の運動の際、脚８０，８２の頭部９６，９６は、トラック３０に係合し、チャンネル５４から遠く撓んだ後、横孔３４内に着座するように内方へ噛込む。
【００２９】
操作の際、使用者は、バンド１８（図１）とサンダル１６の基部２４との間へ足を滑り込ませる。次に、バンド１８の第２端部２２に結合された収容部材１４を、バンド１８の所望の緊密さに至るまで係合部材１２上で矢印Ａの方向へ引張る。
【００３０】
次に、収容部材１４を、上述個所で結合するために係合部材１２に向かってほゞ垂直に下方へ移動させる。バンド１８を更に締める必要があれば使用者は、満足に適合するまで矢印Ａの方向へ係合部材１２に沿って収容部材１４を単に摺動する。収容部材１４は、係合部材１２に沿ってラチェット作用し、使用者が与えたその調節位置を維持する。
【００３１】
楽にするためにバンド１８を緩め、又はサンダル１６をぬぐため、使用者は、収容部材１４を矢印Ｂの方向へ摺動できる様にするか、又は係合部材１２から取外せる様に上述のように、収容部材１４の本体部９２を押し込む。そうすれば、使用者は足からサンダル１６を外せる。
【００３２】
本発明の変更及び変形は、上述の教示によって可能である。本発明は、特許請求の範囲内で特に記載される以外に実施可能なことが理解されるべきである。
【００３３】
以下に本発明の実施態様の幾つかを列挙する。
（１）所定の長さを有する係合部材と、該係合部材の長さにほゞ沿ってどこかで結合して、該係合部材の長さに沿って少なくとも第１方向へ容易に可動である収容部材とを備えたファスナ。
（２）上記（１）に記載のファスナにおいて、前記収容部材が、前記係合部材の長さに対してほゞ垂直の方向において該係合部材の長さに沿って結合するファスナ。
（３）上記（１）に記載のファスナにおいて、前記収容部材が、前記係合部材の長さに沿って前記第１方向とはほゞ反対の第２方向へ該収容部材を移動するために使用者によって作動する解放機構を有するファスナ。
【００３４】
【発明の効果】
以上説明した様に本発明によれば、ほこりや砂にさらされる衣服、靴、サンダル等のファスナとして極めて有効に利用できる。又このファスナは引締める方向には単にスライドさせるだけでよく、ゆるめる方向には圧下とスライドとを行えばよいので操作が楽である。
【図面の簡単な説明】
【図１】サンダルのバンドに使用するために示した本発明のファスナの斜視図である。
【図２】本発明のファスナの分解斜視図である。
【図３】図１の線３−３に沿う本発明のファスナの部分的な断面図である。
【図４】細長いトラックと収容部材との係合を示す図３のファスナの部分的な断面の平面図である。
【図５】細長いトラックに沿う何れかの方向の収容部材の運動を可能にするための収容部材の解放を示す図４に類似する部分的な断面の平面図である。
【図６】本発明のファスナの雄ラッチ部材の正面図である。
【図７】図６の雄ラッチ部材の平面図である。
【符号の説明】
１０    ファスナ
１２    係合部材
１４    収容部材
１８    バンド
２８    ベース（フランジ）
３０    トラック
３２    線
３４    横孔
３６    雌ソケット部材
３８    雄ラッチ部材
５４    チャンネル
８０    脚部材
８２    脚部材
【図１】
0003848385.tif 000002
【図２】
0003848385.tif 000003
【図３】
0003848385.tif 000004
【図４】
0003848385.tif 000005
【図５】
0003848385.tif 000006
【図６】
0003848385.tif 000007
【図７】
0003848385.tif 000008